(57)【特許請求の範囲】
【請求項１】
ケースの上面にオンの状態でケースにフラットに収まる操作ハンドルを有する回路遮断器の、前記操作ハンドルの動作を規制するハンドルロック機構であって、前記操作ハンドルの操作部の上面にはスライド移動可能なロック片が設けられ、該ロック片を前記操作部から前記ケースの上面若しくは内部へ突出させることにより、前記ロック片を前記ケースに係止し、前記操作ハンドルの動作が規制されることを特徴とする回路遮断器のハンドルロック機構。
【請求項２】
前記ハンドルロック機構において、前記操作ハンドル上面の、前記ロック片が作動した状態のときに目視できる位置に、前記操作ハンドルが動作不可であることを示す表示を施すことを特徴とする請求項１に記載の回路遮断器のハンドルロック機構。
【発明の詳細な説明】
【技術分野】
【０００１】
本発明は、ケースの上面にオンの状態でケースにフラットに収まる操作ハンドルを有する回路遮断器の、操作ハンドルの動作を規制するハンドルロック機構に関するものである。
【背景技術】
【０００２】
従来、特許文献１に記載のようなハンドルロック装置があった。回路遮断器の操作ハンドルにハンドルロックキャップをかぶせることで、操作ハンドルが現状から動作しないようにするものがあった。回路遮断器を開路状態及び閉路状態に操作ハンドルの動作を規制するものである。操作ハンドルとハンドルロックキャップには貫通孔が設けられ、貫通孔にそれぞれハンドルロックピンを挿通してハンドルキャップを操作ハンドルに取り付けていた。また、ハンドルロックキャップを取り外すには、ハンドルロック解除具によりハンドルロックピンを外す。
【発明の開示】
【発明が解決しようとする課題】
【０００３】
しかしながら、回路遮断器の操作ハンドルを固定するためのハンドルロックキャップは、操作ハンドルと別部品であるため、紛失の虞があった。また、ハンドルロックピンやハンドルロック解除具等、小さな部品が必要であり、部品管理にも煩雑な手間がかかると共に、紛失の虞があった。
【０００４】
また、操作ハンドルにハンドルロックキャップをかぶせる方法では、操作ハンドルがハンドロックキャップに隠れてしまい、回路遮断器の動作状態の確認が困難であった。
【課題を解決するための手段】
【０００５】
そこで本発明は、装着の手間を省き、簡単な操作でハンドルをロックすることのできる回路遮断器のハンドルロック機構を提供することを目的とし、その構造は、操作ハンドルの操作部の上面にはスライド移動可能なロック片が設けられ、ロック片を操作部からケースの上面若しくは内部へ突出させることにより、ロック片をケースに係止し、操作ハンドルの動作が規制されることを特徴とする。
【０００６】
また、本発明は、操作ハンドル上面の、ロックが作動した状態のときに目視できる位置に、操作ハンドルが動作不可であることを示す表示を施すことを特徴とする。
【発明の効果】
【０００７】
本発明に係る回路遮断器のハンドルロック機構は、操作ハンドルの操作部の上面にはスライド移動可能なロック片が設けられ、ロック片を操作部からケースの上面若しくは内部へ突出させることにより、ロック片をケースに係止し、操作ハンドルの動作が規制されるため、必要なときにいつでもハンドルをロックすることができ、ハンドルロック部品の紛失の虞もない。
【０００８】
また、本発明に係る回路遮断器のハンドルロック機構は、操作ハンドル上面の、ロックが作動した状態のときに目視できる位置に、ハンドルが動作不可であることを示す表示を施すため、ハンドルをロックすることと同時に、ハンドルの状態を確認することができる。
【発明を実施するための最良の形態】
【０００９】
本発明に係る回路遮断器では、簡単な構造で且つ、容易な操作で確実にハンドルロックをするという目的を、最小の部品点数で、ハンドルと別部品のロック部品を用いずに必要なときに随時ハンドルロックできるようにした。
【実施例１】
【００１０】
本発明に係る回路遮断器のハンドルロック機構を図１〜図６の添付図面に基づいて説明する。
【００１１】
回路遮断器１はケース２の上面にオンの状態でケース２上面にフラットに収まる操作ハンドル３が設けられている。オフの状態では、操作ハンドル３は上面に突出する。操作ハンドル３の動作により回路を開いたり閉じたりする。
【００１２】
操作ハンドル３には摺動動作可能であるロック片４が取り付けられる。操作ハンドル３の内側に溝５を設け、溝５に係合する係合部６をロック片４に設け、ロック片４を操作ハンドル３に取り付ける。ロック片４にはツマミ７が形成されており、ツマミ７を操作することでロック片４は摺動移動可能で、操作ハンドル３の端部に突出させることができる。
【００１３】
回路遮断器１がオンの状態のときは、操作ハンドル３は回路遮断器１の上面部に平面状に収まった状態である。回路遮断器１をオンの状態でハンドルロックする場合、ツマミ７を操作しロック片４をケース上面に向かってスライド移動させ、操作ハンドル３の端部からロック片４を突出させる。操作ハンドル３を起こそうとしても、ロック片４がケース２の上面に係止し、操作ハンドル３がロックされている。
【００１４】
また、回路遮断器１がオフの状態のときは、操作ハンドル３は回路遮断器１の上面部に突出した状態である。回路遮断器１をオフの状態でハンドルロックする場合、ツマミ７を操作しロック片４をスライド移動させ操作ハンドル３の端部からケース２内部へロック片４を突出させる。操作ハンドル３を倒そうとしても、ロック片４がケース２の内側端部に係止し、操作ハンドル３がロックされている。
【００１５】
回路遮断器１の操作ハンドル３にロック片４を組み付けてあるので、従来用いていたハンドルロックキャップ等の部品が不要で紛失等の虞もなくなる。また、操作ハンドル３のロック方法は、ロック片４が移動することにより操作ハンドル３から突出し、操作ハンドル３の動作を規制してハンドルロックするものである。
【００１６】
操作ハンドル３の上面には突起部８を設け、ロック片４には突起部８に対向する位置に溝部９を形成し、溝部９に突起部８が掛かることで、ロック片４の脱落防止となる。
【００１７】
ロック片４の負荷側の一部には「ＯＮ」等の表示１０をし、回路遮断器１が動作中である表示も可能である。
【実施例２】
【００１８】
図７に示すように、操作ハンドル１１の上面の電源側には、「ロック」や「操作禁止」等の表示１２を施する。回路遮断器１３が通常の状態のときには回路遮断器１３の操作ハンドル１１がロック片１４に被覆された状態であるが、回路遮断器１３の動作をロックするため、ロック片１４を操作ハンドル１１から突出させたとき、表示１２が目視できるようになっている。ハンドルロックをしたときに、回路遮断器１３の状態表示も可能である。
【産業上の利用可能性】
【００１９】
回路遮断器の操作ハンドルにロック片を取り付け、ロック片を移動させることにより、ロック片を回路遮断器のケースの一部に係止させ、操作ハンドルの動作を規制し、開路状態及び閉路状態にハンドルロックするので、小さな部品の管理等煩雑な手間を省くことができる。
【図面の簡単な説明】
【００２０】
【図１】本発明に係る回路遮断器のハンドルロック機構の実施例を示す正面図である。（実施例１）
【図２】本発明に係る回路遮断器のハンドルロック機構の実施例を示す斜視図である。（実施例１）
【図３】本発明に係る回路遮断器のオンの状態でのハンドルロック機構の実施例を示す側面図である。（実施例１）
【図４】本発明に係る回路遮断器のオフの状態でのハンドルロック機構の実施例を示す側面図である。（実施例１）
【図５】本発明に係る回路遮断器のハンドルロック機構の実施例を示す断面図である。（実施例１）
【図６】本発明に係る回路遮断器のオンの状態でのハンドルロック機構の実施例を示す正面図である。（実施例１）
【図７】本発明に係る回路遮断器をハンドルロックした状態を示す正面図である。（実施例２）
【符号の説明】
【００２１】
１    回路遮断器
２    ケース
３    操作ハンドル
４    ロック片
５    溝
６    係合部
７    ツマミ
８    突起部
９    溝部
１０  表示
１１  操作ハンドル
１２  表示
１３  回路遮断器
１４  ロック片
【図１】
0004845189.tif 000002
【図２】
0004845189.tif 000003
【図３】
0004845189.tif 000004
【図４】
0004845189.tif 000005
【図５】
0004845189.tif 000006
【図６】
0004845189.tif 000007
【図７】
0004845189.tif 000008